(57)【要約】【課題】容易にかつ短時間で設置できる出入口用建具を提供する。【解決手段】床Ｆ上に設置されて、開口部を見付け方向にスライドして開閉するドア本体（戸体）を案内するガイドレール６と、床Ｆ上に設置されて、ガイドレール６の見込方向の少なくとも一方の側方に隣接する傾斜部材７と、を備え、傾斜部材７には、上面にガイドレール６に近接する側から離間する側に向かって床Ｆからの高さが漸次低くなる傾斜面が形成されているとともに、ガイドレール６と離間する位置に下側に凹んだ凹部が形成され、凹部の底部（第２水平板部７５、第４水平板部８２）が固定具１０２で床Ｆに固定されている。【選択図】図５
2018141358.tif 000002
【特許請求の範囲】
【請求項１】
床上に設置されて、開口部を見付け方向にスライドして開閉する戸体を案内するガイドレールと、
前記床上に設置されて、前記ガイドレールの見込方向の少なくとも一方の側方に隣接する傾斜部材と、を備え、
前記傾斜部材には、上面に前記ガイドレールに近接する側から離間する側に向かって前記床からの高さが漸次低くなる傾斜面が形成されているとともに、前記ガイドレールと離間する位置に下側に凹んだ凹部が形成され、
前記凹部の底部が固定具で前記床に固定されていることを特徴とする出入口用建具。
【請求項２】
前記傾斜部材は、見込み方向に間隔をあけた複数個所に前記凹部が形成され、
複数の前記凹部のそれぞれの底部が前記固定具で前記床に固定されている請求項１に記載の出入口用建具。
【請求項３】
前記傾斜部材は、見込み方向に隣接する前記凹部の上端部を接続し上面に前記傾斜面が形成され前記床面と離間する凹部間板部と、
前記凹部間板部の下面から下側に延びて前記床と当接する床当接部と、を有している請求項２に記載の出入口用建具。
【請求項４】
前記傾斜部材は、前記凹部を上側から覆うカバー材を有する請求項１乃至３のいずれか一項に記載の出入口用建具。
【請求項５】
床上に設置されて、開口部を見付け方向にスライドして開閉する戸体を案内するガイドレールと、
前記床上に設置されて、前記ガイドレールの見込方向の少なくとも一方の側方に隣接する傾斜部材と、を備え、
前記傾斜部材には、上面に前記ガイドレールに近接する側から離間する側に向かって前記床からの高さが漸次低くなる傾斜面が形成され、
前記傾斜部材は、前記床上に設置される下地材と、
前記下地材の上側に設置されるカバー材と、を有することを特徴とする出入口用建具。
【請求項６】
前記下地材は、前記カバー材が係合する係合部を有する請求項５に記載の出入口用建具。
【請求項７】
前記下地材は、前記ガイドレールと近接する側に位置し上面が水平面となる下地水平部と、前記ガイドレールと離間する側に位置し上面が前記ガイドレールと近接する側から離間する側に向かって前記床からの高さが漸次低くなる傾斜面となる下地傾斜部と、を有し、
前記カバー材は、前記ガイドレールと近接する側に位置し上面および下面が水平面となるカバー水平部と、前記ガイドレールと離間する側に位置し上面および下面が前記ガイドレールと近接する側から離間する側に向かって前記床からの高さが漸次低くなる傾斜面となるカバー傾斜部と、を有し、
前記下地水平部の上面と前記カバー水平部の下面とが接触し、前記下地傾斜部の上面と前記カバー傾斜部の下面とが接触している請求項５または６に記載の出入口用建具。
【発明の詳細な説明】
【技術分野】
【０００１】
本発明は、戸体が見付け方向にスライドして開口部を開閉する出入口用建具に関する。
【背景技術】
【０００２】
従来、スライド式のドア（引き戸）のガイドレール（下枠）は、床から突出しないように床に埋め込まれていて、このガイドレールに形成されたガイド溝に沿って戸体がスライドするように構成されている（例えば、特許文献１参照）。
【先行技術文献】
【特許文献】
【０００３】
【特許文献１】特開２０１０−１１６７７０号公報
【発明の概要】
【発明が解決しようとする課題】
【０００４】
ところで、店舗などの改修工事において、出入口に設けられていた既存のスイング式のドア（開き戸）を引き戸式の自動ドアに交換する際に、自動ドアのガイドレールを床に埋め込む場合、床を斫る床斫り工事、この斫った部分にガイドレールを設置して溶接固定する溶接工事、溶接固定されたガイドレールの周囲にモルタルを充填する左官工事等が行われている。
しかしながら、これらの工事は、労力がかかるとともに、改修工事の工期が長くなるという問題がある。特に、左官工事におけるモルタルの乾燥硬化にかかる時間が長いという問題がある。
【０００５】
そこで、本発明は、容易にかつ短時間で設置できる出入口用建具を提供することを目的とする。
【課題を解決するための手段】
【０００６】
上記目的を達成するため、本発明に係る出入口用建具は、床上に設置されて、開口部を見付け方向にスライドして開閉する戸体を案内するガイドレールと、前記床上に設置されて、前記ガイドレールの見込方向の少なくとも一方の側方に隣接する傾斜部材と、を備え、前記傾斜部材には、上面に前記ガイドレールに近接する側から離間する側に向かって前記床からの高さが漸次低くなる傾斜面が形成されているとともに、前記ガイドレールと離間する位置に下側に凹んだ凹部が形成され、前記凹部の底部が固定具で前記床に固定されていることを特徴とする。
【０００７】
本発明では、床上に設置されたガイドレールの側方に、上面にガイドレールに近接する側から離間する側に向かって床からの高さが漸次低くなる傾斜面が形成されている傾斜部材が設置されている。これにより、床上に設置されたガイドレールと床との段差をスロープとすることができ、通行人がガイドレールと床との段差につまずいたり、荷物が引っかかったりすることを防止することができる。
このように、本発明では、ガイドレールを従来のガイドレールのように床に埋め込まなくても、通行人がガイドレールと床との段差につまずいたり、荷物が引っかかったりすることを防止できる構造とすることができる。このため、ガイドレールを床に埋め込む従来の出入口用建具と比べて、出入口用建具を容易にかつ短時間で設置することができる。
また、本発明では、傾斜部材を床に固定する際には、傾斜部材に形成された凹部の底部を固定具で床に固定すればよいため、固定具による固定箇所の位置決めを容易に行うことができる。また、凹部は下側に凹んでおり凹部の底部が床面と近接または当接するため、凹部の底部を床に容易に固定することができる。
【０００８】
また、本発明に係る出入口用建具では、前記傾斜部材は、見込み方向に間隔をあけた複数個所に前記凹部が形成され、複数の前記凹部のそれぞれの底部が前記固定具で前記床に固定されていてもよい。
このような構成とすることにより、傾斜部材が複数個所で床に固定されるため、傾斜部材を確実に床に固定することができる。
【０００９】
また、本発明に係る出入口用建具では、前記傾斜部材は、見込み方向に隣接する前記凹部の上端部を接続し上面に前記傾斜面が形成され前記床面と離間する凹部間板部と、前記凹部間板部の下面から下側に延びて前記床と当接する床当接部と、を有していてもよい。
このような構成とすることにより、床当接部を床に当接させることで床面と離間する凹部間板部の位置決めを容易に行うことができる。
また、凹部間板部の上面の傾斜面に上方から荷重が作用した場合でも、床当接部によって凹部間板部が下側に撓むことを抑えることができる。
【００１０】
また、本発明に係る出入口用建具では、前記傾斜部材は、前記凹部を上側から覆うカバー材を有してもよい。
このような構成とすることにより、傾斜部材の設置を容易にするために凹部を形成しても、カバー材を設けることで凹部を容易にカバーすることができる。
【００１１】
また、本発明に係る出入口用建具は、床上に設置されて、開口部を見付け方向にスライドして開閉する戸体を案内するガイドレールと、前記床上に設置されて、前記ガイドレールの見込方向の少なくとも一方の側方に隣接する傾斜部材と、を備え、前記傾斜部材には、上面に前記ガイドレールに近接する側から離間する側に向かって前記床からの高さが漸次低くなる傾斜面が形成され、  前記傾斜部材は、前記床上に設置される下地材と、前記下地材の上側に設置されるカバー材と、を有することを特徴とする。
【００１２】
本発明では、床上に設置されたガイドレールの側方に、上面にガイドレールに近接する側から離間する側に向かって床からの高さが漸次低くなる傾斜面が形成されている傾斜部材が設置されている。これにより、床上に設置されたガイドレールと床との段差をスロープとすることができ、通行人がガイドレールと床との段差につまずいたり、荷物が引っかかったりすることを防止することができる。
このため、本発明ではガイドレールを、従来のガイドレールのように床に埋め込む必要がない。そして、傾斜部材は、下地材とカバー材とからなる簡便な構成であるため、傾斜部材を容易に設置することができる。
【００１３】
また、本発明に係る出入口用建具では、前記下地材は、前記カバー材が係合する係合部を有していてもよい。
このような構成とすることにより、下地材の係合部にカバー材を係合させることで、カバー材を容易に設置することができる。
【００１４】
また、本発明に係る出入口用建具では、前記下地材は、前記ガイドレールと近接する側に位置し上面が水平面となる下地水平部と、前記ガイドレールと離間する側に位置し上面が前記ガイドレールと近接する側から離間する側に向かって前記床からの高さが漸次低くなる傾斜面となる下地傾斜部と、を有し、前記カバー材は、前記ガイドレールと近接する側に位置し上面および下面が水平面となるカバー水平部と、前記ガイドレールと離間する側に位置し上面および下面が前記ガイドレールと近接する側から離間する側に向かって前記床からの高さが漸次低くなる傾斜面となるカバー傾斜部と、を有し、前記下地水平部の上面と前記カバー水平部の下面とが接触し、前記下地傾斜部の上面と前記カバー傾斜部の下面とが接触していてもよい。
このような構成とすることにより、カバー材の位置決めを容易に行うことができるとともに、カバー材を下地材に支持された安定した状態に設置することができる。
【発明の効果】
【００１５】
本発明によれば、出入口用建具を容易にかつ短時間で設置することができる。
【図面の簡単な説明】
【００１６】
【図１】本発明の第１実施形態による自動ドアの一例を示す平面図である。
【図２】図１の室内側から見た正面図である。
【図３】図１のＡ−Ａ線断面図である。
【図４】下レールの一例を示す平面図である。
【図５】図４のＢ−Ｂ線断面図である。
【図６】下レールの設置方法を説明する図である。
【図７】図６に続く下レールの設置方法を説明する図である。
【図８】第２実施形態による自動ドアの一例を示す平面図である。
【図９】図８のＣ−Ｃ線断面図である。
【発明を実施するための形態】
【００１７】
（第１実施形態）
以下、本発明の第１実施形態による出入口用建具について、図１乃至図７に基づいて説明する。
図１および図２に示すように、本実施形態によるスライド式の自動ドア（出入口用建具）１Ａは、店舗などの建物１１の開口部（出入口）１２に設けられた枠体２と、枠体２に見付け方向にスライド可能に支持されて開口部１２を開閉するドア本体（戸体）３と、枠体２の室内１３側に設けられてドア本体３が開口部１２を開放した際にドア本体３が収容される戸袋を形成するガードスクリーン（防護体）４と、を有している。
【００１８】
本実施形態の自動ドア１Ａは、開口部１２を１枚のドア本体３が開閉する片引き（１枚引き）の自動ドアを構成している。ドア本体３は、矩形状に枠組みされた框３１の内側にガラス３２が嵌めこまれていて、下端部には、框３１から下方に突出する振れ止め材３３が設けられている。
【００１９】
また、本実施形態の自動ドア１Ａは、開口部１２に設けられていたスイング式の既存ドア（開き戸）５を、スライド式の自動ドアに交換する改修工事に使用されている。
既存ドア５は、開口部１２の縁部に設けられた既存枠体５１と、既存枠体５１の内側に配置されて吊元を中心として回動可能な既存ドア本体５２と、を有しており、改修工事において、既存枠体５１が残されて、既存ドア本体５２が撤去されている。
そして、既存枠体５１の縦枠５３，５３の室内１３側には、それぞれ改装用縦枠１８，１８が設置されて、自動ドア１Ａのドア本体３は、改装用縦枠１８，１８の室内１３側において見付け方向にスライドするように構成されている。
また、本実施形態では、既存ドア本体５２を支持していたフロアヒンジのケース５５が床Ｆに残されている。
【００２０】
ここで、自動ドア１Ａの枠体２を説明する前に建物１１およびガードスクリーン４について説明する。  
建物１１には、開口部１２の見付け方向の一方側（図１および図２の左側）に、既存枠体５１の縦枠５３を介して床Ｆから上方に延びるスクリーンタイプの既存のＦＩＸ窓１５が設けられている。本実施形態では、自動ドア１Ａのドア本体３は、開口部１２およびＦＩＸ窓１５の見付け方向の長さ全体に対応する範囲をスライド可能に構成されている。
【００２１】
また、図２に示すように、このＦＩＸ窓１５の上方には、ＦＩＸ窓１５の上側の横枠１６を介して欄間としてのＦＩＸ窓１７Ａが設けられている。また、開口部１２の上方で、既存ドア本体５２が設置されていた部分の直上にも、既存枠体５１の上枠５４を介して欄間としてのＦＩＸ窓１７Ｂが設けられている。これらのＦＩＸ窓１７Ａ，１７Ｂは、見付け方向に隣接している。
なお、欄間としてのＦＩＸ窓１７Ａ，１７Ｂの代わりに、開閉可能な排煙窓などが設けられていてもよく、欄間を設けずに壁としてもよい。また、スクリーンタイプのＦＩＸ窓１５の代わりに、腰窓タイプのＦＩＸ窓が設けられていてもよく、ＦＩＸ窓１５の代わりに開閉可能な窓や、壁などが設けられていてもよい。
また、開口部１２の見付け方向の他方側（図１および図２の右側）や、ＦＩＸ窓１５の見付け方向の一方側には、壁、柱、ＦＩＸ窓などが適宜設置されている。
【００２２】
図１乃至図３に示すように、ガードスクリーン４は、ドア本体３の室内１３側においてドア本体３と平行に設置され、矩形状に組まれた框４１の内側にガラス４２が嵌めこまれたパネル状に形成されている。
ガードスクリーン４は、上端部が自動ドア１Ａの上枠２１（図２参照）に見付け方向にスライド可能に支持されているとともに、下端部には車輪４３が設けられていて、この車輪４３が後述する下レール２２Ａの第２傾斜部材７Ｂのカバー材９１の第２水平板部９５の上面を見付け方向に走行可能に構成されている。
【００２３】
続いて、自動ドア１Ａの枠体２について説明する。
自動ドア１Ａの枠体２は、ドア本体３の上側に配置されてドア本体３がスライドする範囲全体の見付け方向に延在する上枠２１（図２参照）と、床Ｆの上に設置されてドア本体３がスライドする範囲全体の見付け方向に延在する下レール２２Ａと、開口部１２を閉鎖するドア本体３の戸先側が当接可能な縦枠２３と、を有している。
【００２４】
上枠２１は、既存枠体５１の上枠５４およびＦＩＸ窓１５の上側の横枠１６の室内１３側に配置されているとともに、既存枠体５１の上枠５４およびＦＩＸ窓１５の上側の横枠１６に固定されていて、ドア本体３をスライド可能に吊り支持している。この上枠２１には、ドア本体３をスライドさせるための公知のモータやローラ、レールなどが適宜設けられている。
縦枠２３は、開口部１２の見付け方向の他方側に配置された改装用縦枠１８の室内１３側に配置され、この改装用縦枠１８に固定されている。
【００２５】
図１および図３に示すように、下レール２２Ａは、ドア本体３の振れ止め材３３が挿入されるガイド溝６ａが形成されて見付け方向のドア本体３がスライドする範囲全体わたって延在するガイドレール６と、ガイドレール６に隣接して設けられて上面がガイドレール６側がガイドレール６と略同じ高さで、ガイドレール６と離間すると漸次低くなる傾斜面に形成された傾斜部材７と、を有している。これらのガイドレール６および傾斜部材７は、床Ｆの上面に設置されている。
【００２６】
図４および図５を示すように、ガイドレール６は、ステンレスなどを材料とする板材を折り曲げて形成された部材で、床Ｆと当接する底板部６１と、底板部６１の見込み方向の両端部とそれぞれ連続し上方に延びる一対の側板部６２，６２と、一対の側板部６２，６２の上端部とそれぞれ連続し他方の側板部６２と離間する側へ水平方向に延びる一対の水平板部６３，６３と、一対の水平板部６３，６３の側板部６２，６２と連続する側と反対側の端部とそれぞれ連続し下方に延びて下端部６４ａ，６４ａが床Ｆと離間する一対の第１鉛直板部６４，６４と、一対の第１鉛直板部６４，６４とそれぞれ溶接されて下端部６５ａ，６５ａが床Ｆと当接する一対の第２鉛直板部６５，６５と、を有している。
底板部６１および一対の側板部６２，６２に囲まれた空間が、ドア本体の振れ止め材３３が挿入されるガイド溝６ａを形成している。
ガイドレール６は、例えば床Ｆに挿入されたフィッシャープラグ６６ａと、底板部６１を係止するとともにフィッシャープラグ６６ａと係合するネジ６６ｂと、を有する固定具６６などによって床Ｆに固定されている。
【００２７】
図４に示すように、傾斜部材７は、ガイドレール６の見込み方向の室外１４側に設けられた第１傾斜部材７Ａと、室内１３側に設けられた第２傾斜部材７Ｂと、ガイドレール６の見付け方向の両側にそれぞれ設けられた第３傾斜部材７Ｃおよび第４傾斜部材７Ｄと、を有している。
第１傾斜部材７Ａは、開口部１２の内側において見付け方向全体に配置されている。第２傾斜部材７Ｂは、ガイドレール６の見付け方向の長さ全体と対応する範囲に配置されている。
また、ガイドレール６の見付け方向の一方側（図４の左側）に設けられた第３傾斜部材７Ｃは、見込み方向において第２傾斜部材７Ｂの室内１３側の端部からＦＩＸ窓１５の室内１３側の端面までの範囲に配置されている。ガイドレール６の見付け方向の他方側（図４の右側）に設けられた第４傾斜部材７Ｄは、見込み方向において第２傾斜部材７Ｂの室内１３側の端部から縦枠２３の室外１４側の端面近傍までの範囲に配置されている。なお、この第４傾斜部材７Ｄは、ガイドレール６とは当接せず、ガイドレール６との間に縦枠２３が介在している。
【００２８】
これらの傾斜部材７Ａ〜７Ｄの上面は、いずれもガイドレール６側の高さがガイドレール６の水平板部６３の上面６３ａ高さと略等しく、ガイドレール６と離間する側の端部の高さが床Ｆの高さと略等しくなるように形成されている。
【００２９】
また、第２傾斜部材７Ｂ、第３傾斜部材７Ｃおよび第４傾斜部材７Ｄは、それぞれ第３傾斜部材７Ｃおよび第４傾斜部材７Ｄまたは第２傾斜部材７Ｂと接合される端部が、平面視において見付け方向および見込み方向に対して斜め形成されていて、これらの斜めに形成されている端部どうしが接続されている。本実施形態では、第２傾斜部材７Ｂと第３傾斜部材７Ｃおよび第４傾斜部材７Ｄとの接続部には、シーリング材１０６が配置されている。
【００３０】
ここで、これらの傾斜部材７Ａ〜７Ｄは、それぞれ同一の断面形状に形成されているため、傾斜部材７Ａ〜７Ｄの断面形状については、第１傾斜部材７Ａの断面形状のみを説明する。なお、第２傾斜部材７Ｂは、第１傾斜部材７Ａを水平面内において１８０°回転し、延在長さを長くして見付け方向の両端部を斜めに形成したもの、第３傾斜部材７Ｃは、第１傾斜部材７Ａを水平面内において上方から見て反時計回りに９０°回転し、延在長さを短くして室内１３側の端部を斜めに形成したもの、第４傾斜部材７Ｄは、第１傾斜部材７Ａを水平面内において上方から見て時計回りに９０°回転し、延在長さを短くして室内１３側の端部を斜めに形成したものに相当する。
【００３１】
第１傾斜部材７Ａは、見付け方向に延在し床Ｆの上部に設置される下地材７１と、見付け方向に延在し下地材７１の上側に設置されるカバー材９１と、を有している。下地材７１およびカバー材９１は、アルミニウムなどを材料として形成されている。
以下に、下地材７１およびカバー材９１の構成を、ガイドレール６側から室外１４側に向かう順番に説明する。
図５に示すように、下地材７１は、ガイドレール６の第１鉛直板部６４と隣接する第１鉛直板部７２と、この第１鉛直板部７２の高さ方向の中間部と連続し室外１４側に延びる第１水平板部（下地水平部）７３と、上端部が第１水平板部７３の室外１４側の端部と連続し下方に延びる第２鉛直板部７４と、第２鉛直板部７４の下端部と連続し室外１４側に延びる第２水平板部（凹部の底部）７５と、下端部が第２水平板部７５の室外１４側の端部と連続し上方に延びる第３鉛直板部７６と、を有している。
下地材７１には、第２鉛直板部７４、第２水平板部７５および第３鉛直板部７６に囲まれて、下側に凹んだ凹部が形成されている。第２水平板部７５がこの凹部の底部となっている。
【００３２】
第１鉛直板部７２は、上端部がガイドレール６の水平板部６３の上面６３ａよりも低い位置に配置されていて、下端部に室外１４側に延びて面方向を上下方向とし下面が床Ｆと当接する脚部７２ａが設けられている。
第２鉛直板部７４の下端部、第２水平板部７５の下面および第３鉛直板部７６の下端部は、床Ｆと隙間あけるように配置されている。そして、第２水平板部７５の下面には、見込み方向の両端部に、見付け方向に延在し下方に突出する第１リブ７５ａ，７５ａが形成され、これらの第１リブ７５ａ，７５ａの先端部（下端部）が床Ｆと当接している。
そして、第２水平板部７５、２つの第１リブ７５ａ，７５ａおよび床Ｆに囲まれた空間には、見付け方向全体にわたってパッキン（止水材）１０１が配置されている。
また、第２鉛直板部７４および第３鉛直板部７６は、それぞれ下端部が第１リブ７５ａと連続していて、第１リブ７５ａとともに上側に配置されるカバー材９１からの荷重を床Ｆに伝達可能な本発明の第１支持材を構成している。
【００３３】
また、下地材７１は、第３鉛直板部７６の上端部と連続し室外１４側に延びる第３水平板部（下地水平部）７７と、第３水平板部７７の室外１４側の端部と連続し室外１４側に向かって漸次下方に向かう斜め方向に延びる第１傾斜板部（下地傾斜部）７８と、上端部が第１傾斜板部７８の室外１４側の端部と連続し下方の床Ｆまで延びる第４鉛直板部（床当接部）７９と、第１傾斜板部７８の室外１４側の端部および第４鉛直板部７９の上端部と連続し室外１４側に向かって漸次下方に向かう斜め方向に延びる第２傾斜板部（下地傾斜部）８０と、を有している。
【００３４】
第１傾斜板部７８と第２傾斜板部８０とは、略同じ勾配で傾斜していて上面が略面一に形成されている。
第３水平板部７７および第１傾斜板部７８は、略同じ板厚で、第２傾斜板部８０および後述する第３傾斜板部８４よりも厚く形成されていて、上方から荷重が作用した場合も、この荷重を確実に受けることができる本発明の第２支持材を構成している、
第４鉛直板部７９は、下端部に第１鉛直板部７２の脚部７２ａと同様の脚部７９ａが設けられている。
【００３５】
また、下地材７１は、上端部が第２傾斜板部８０の室外１４側の端部と連続し下方に延びる第５鉛直板部８１と、第５鉛直板部８１の下端部と連続し室外１４側に延びる第４水平板部（凹部の底部）８２と、下端部が第４水平板部８２の室外１４側の端部と連続し上方に延びる第６鉛直板部８３と、第６鉛直板部８３の上端部と連続し室外１４側に向かって漸次下方に向かう斜め方向に延びる第３傾斜板部（下地傾斜部）８４と、上端部が第３傾斜板部８４の室外１４側の端部と連続し下方の床Ｆまで延びる第７鉛直板部８５と、を有している。
下地材７１には、第５鉛直板部８１、第４水平板部８２および第６鉛直板部８３に囲まれて、下側に凹んだ凹部が形成されている。第４水平板部８２がこの凹部の底部となっている。
【００３６】
第５鉛直板部８１、第４水平板部８２および第６鉛直板部８３は、第２鉛直板部７４、第２水平板部７５および第３鉛直板部７６と同様に床Ｆと隙間あけるように配置されていて、第４水平板部８２には、第２水平板部７５に形成された第１リブ７５ａ，７５ａと同様の第１リブ８２ａ，８２ａが形成されていて、第４水平板部８２、第１リブ７５ａ，７５および床Ｆに囲まれた空間にはパッキン１０１が配置されている。
また、第５鉛直板部８１および第６鉛直板部８３は、第２鉛直板部７４および第３鉛直板部７６と同様に、第１リブ８２ａとともに上側に配置されるカバー材９１からの荷重を床Ｆに伝達可能な本発明の第１支持材を構成している。
第３傾斜板部８４は、第１傾斜板部７８および第２傾斜板部８０と略同じ勾配で傾斜していて、これらの上面は、同一傾斜面上に配置されている。
【００３７】
また、下地材７１は、第７鉛直板部８５の下端部と連続し室外１４側に延びて下面が床Ｆと当接する第５水平板部８６と、第５水平板部８６の室外１４側の端部と連続し上方に延びる第８鉛直板部８７と、第８鉛直板部８７の上端部と連続し室内１３側および室外１４側に向かって斜め方向に延びる第４傾斜板部８８と、を有している。
【００３８】
下地材７１には、第４傾斜板部８８の第８鉛直板部８７よりも室内１３側の部分８８ａ、第８鉛直板部８７、および第５水平板部８６に囲まれた係合凹部（係合部）８９が形成されていて、この係合凹部８９がカバー材９１の係合爪部９７と係合可能に構成されている。
また、第４傾斜板部８８の室外１４側の端部８８ｂは、床Ｆと当接していて、この端部８８ｂおよび床Ｆと当接するシーリング材１０４が下地材７１の見付け方向の長さ全体にわたって配置されている。
【００３９】
このような下地材７１は、凹部の底部となる第２水平板部７５および第４水平板部８２が、例えば床Ｆに挿入されたフィッシャープラグ１０２ａと、第２水平板部７５および第４水平板部８２を係止するとともにフィッシャープラグ１０２ａと係合するネジ１０２ｂと、を有する固定具１０２などによって床Ｆに固定されている。
【００４０】
カバー材９１は、下地材７１の第１水平板部７３の上面に当接する第１水平板部（カバー水平部）９２と、下端部が第１水平板部９２の室外１４側の端部と連続し上方に延びる第１鉛直板部９３と、第１鉛直板部９３の上端部と連続し室外１４側に向かって漸次下方に向かう斜め方向に延びる第１傾斜板部９４と、第１傾斜板部９４の室外１４側の端部と連続し室外１４側へ水平方向に延びる第２水平板部（カバー水平部）９５と、第２水平板部９５の室外１４側の端部と連続し室外１４側に向かって漸次下方に向かう斜め方向に延びる第２傾斜板部（カバー傾斜部）９６と、第２傾斜板部９６の室外１４側の端部に連続して形成され断面略Ｌ字状の係合爪部９７と、を有している。
【００４１】
第１水平板部９２は、室外１４側の端部が下地材７１の第１水平板部７３よりも室内１３側に配置されている。また、第１鉛直板部９３は、下地材７１の第１水平板部７３の上方に配置されている。そして、第１鉛直板部９３の室内１３側には、ガイドレール６の第１鉛直板部６４、下地材７１の第１鉛直板部７２、第１水平板部７３、カバー材９１の第１水平板部９２、第１鉛直板部９３に囲まれた凹部２２ａが形成されていて、この凹部２２ａに、シーリング材１０３が配置されている。
【００４２】
第１傾斜板部９４は、下地材７１の第１水平板部７３の室外１４側の端部近傍および第２鉛直板部７４、第２水平板部７５の上方にこれらと間隔をあけて配置されている。
第２水平板部９５は、下面が下地材７１の第３水平板部７７の上面と当接している。また、図３に示すように、第２傾斜部材７Ｂのカバー材９１の第２水平板部９５は、その上面に沿ってガードスクリーン４の車輪が見付け方向に走行可能に構成されている。
【００４３】
図５に戻り、第２傾斜板部９６は、下地材７１の第１傾斜板部７８、第２傾斜板部８０および第３傾斜板部８４の上面と当接しているとともに、第４水平板部８２および第５水平板部８６の上方にこれらと間隔をあけて配置されている。また、第２傾斜板部９６は、係合爪部９７が下地材７１の係合凹部８９と係合すると、上面が下地材７１の第４傾斜板部８８の上面と略面一となるように構成されている。
【００４４】
また、カバー材９１の上面には、カバー材９１の延在方向に延びて上側に突出する第２リブ９８，９８…が見込み方向に間隔をあけて複数形成されている。
本実施形態では、第２リブ９８，９８…は、第１傾斜板部９４の室内１３側の端部、第１傾斜板部９４と第２水平板部９５との境界、第２水平板部９５と第２傾斜板部９６との境界、第２傾斜板部９６の上面に形成されている。そして、これらの第２リブ９８，９８…は、下地材７１の第２〜第７鉛直板部７４，７６，７９，８１，８３，８５の直上近傍や、板厚が厚く形成された第３水平板部７７、第１傾斜板部７８の上方に配置されている。なお、第２リブ９８は、第２水平板部９５の上面の室内１３側および室外１４側の端部以外に形成されておらず、第２水平板部９５を走行するガードスクリーン４の車輪４３と干渉しないように構成されている。
【００４５】
また、第２リブ９８，９８…は、先端部がそれぞれ室外１４側に向かって漸次下方に向かう傾斜面に形成されていて、複数の第２リブ９８の先端部の傾斜面は、室外１４側に向かって漸次下方に向かう同一の傾斜面上に配置されている。このため、開口部１２を通過する通行者が下レール２２Ａを踏むと、通行者の靴底（足裏）が同一の傾斜面上に配置された複数の第２リブ９８，９８…の先端面と当接することになり、通行人がカバー材９１上面の凹凸をほとんど感じることなく通行することができるとともに、カバー材９１が通行人の体重（荷重）を均等に受けることができる。
【００４６】
また、第２リブ９８，９８…は、基端部側と第１、２傾斜板部９４，９６および第２水平板部９５との角部が鋭角とならないように形成されていて、この角部が鋭角となる場合は、この鋭角を面取りするように第２リブ９８，９８…と第１、２傾斜板部９４，９６および第２水平板部９５とに連続する面が形成されている。これにより、角部にたまった砂や埃などを、これらの角部から除去しやすい構造とすることができる。
【００４７】
このようなカバー材９１は、係合爪部９７が下地材７１の係合凹部８９と係合するとともに、第１水平板部９２が下地材７１の第１水平板部７３とネジなどの固定具１０５で固定され、第２傾斜板部９６が下地材７１の第２傾斜板部８０とネジなどの固定具１０５で固定されることで下地材７１に固定されている。
そして、カバー材９１が床Ｆに固定された下地材７１に固定されると、第１傾斜板部９４の室内１３側の端部に設けられた第２リブ９８の上端部の高さが、ガイドレール６の水平板部６３の上面の高さ６３ａと略同じ高さとなるように構成されている。
【００４８】
次に、建物１１に設置されていた既存ドア５を撤去し本実施形態による自動ドア１Ａを設置する改修工事において下レール２２Ａを床Ｆに設置する方法（建具の改修方法）について説明する。
まず、図６に示すように、ガイドレール６をドア本体３がスライドする範囲の下方の床Ｆの上に配置し、ガイドレール６の底板部６１の下面および第２鉛直板部６５，６５の下端部６５ａ，６５ａを床Ｆと当接させ、底板部６１を固定具６６で床Ｆに固定する。
続いて、ガイドレール６の側方にそれぞれ傾斜部材７Ａ〜７Ｄを設置する。なお、傾斜部材７Ａ〜７Ｄは同様に設置されるため、ここでは、第１傾斜部材７Ａの設置について説明する。
【００４９】
第１傾斜部材７Ａの設置は、まず、下地材７１をガイドレール６の側方の床Ｆに配置する。このとき、第１鉛直板部７２の脚部７２ａ、第４鉛直板部７９の脚部７９ａ、および第５水平板部８６を床Ｆと当接させる。
このとき、下地材７１の第２水平板部７５および第４水平板部８２と床Ｆとの間にパッキン１０１を配置し、第１リブ７５ａ，７５ａ，８２ａ，８２ａを床Ｆと当接させる。
【００５０】
続いて、第２水平板部７５および第４水平板部８２を固定具６６で床Ｆに固定する。このとき、第１リブ７５ａ，７５ａ，８２ａ，８２ａの下端部は、床Ｆと当接し、第２水平板部７５および第４水平板部８２が固定具６６で固定されることによって床Ｆに押し付けられて適宜潰されるように構成されている。これにより、第２水平板部７５および第４水平板部８２がパッキン１０１を床Ｆに押し付け、第２水平板部７５および第４水平板部８２とパッキン１０１との間、また、パッキン１０１と床Ｆとの間に隙間が生じることを防止できる。また、第２水平板部７５および第４水平板部８２から下方に突出する第１リブ７５ａ，７５ａ，８２ａ，８２ａが形成されていることにより、パッキン１０１を隣り合う第１リブ７５ａ，７５ａ，８２ａ，８２ａの間に配置すればよいため、パッキン１０１の位置決めを容易に行うことができる。
【００５１】
続いて、図７に示すように、カバー材９１を室外１４側に配置される係合爪部９７側が室内１３側に配置される第１水平板部９２側よりも下側となる向きとし、この係合爪部９７を下地材７１の係合凹部８９に上方から挿入させて、係合爪部９７を中心としてカバー材９１を所定の向きとなるように第１水平板部９２側を下側に移動させるように回転させる。
そして、カバー材９１の第１水平板部９２を下地材７１の第１水平板部７３の上面に当接させ、カバー材９１の第２水平板部９５を下地材７１の第３水平板部７７と当接させ、カバー材９１の第２傾斜板部９６を下地材７１の第１〜第３傾斜板部７８，８０，８４と当接させる。
そして、カバー材９１の第１水平板部９２を下地材７１の第１水平板部７３に固定具１０５で固定するとともに、カバー材９１の第２傾斜板部９６を下地材７１の第２傾斜板部８０に固定具１０５で固定する。
【００５２】
続いて、図５に示すガイドレール６の第１鉛直板部６４、下地材７１の第１鉛直板部７２、第１水平板部７３、カバー材９１の第１水平板部９２、第１鉛直板部９３に囲まれた凹部２２ａにシーリング材１０３を配置する。これにより、ガイドレール６と傾斜部材７との隙間を埋めることができる。
また、カバー材９１の設置と前後して、下地材７１の第４傾斜板部８８の室外１４側の端部８８ｂと床Ｆとの隙間を塞ぐようにシーリング材１０４を配置する。
このようにして第１傾斜部材７Ａが設置される。
第２〜４傾斜部材７Ｂ〜７Ｄも、第１傾斜部材７Ａと同様に設置する。そして、第２傾斜部材７Ｂと第３傾斜部材７Ｃおよび第４傾斜部材７Ｄとの接続部にシーリング材１０６を配置する。これにより、第２傾斜部材７Ｂと第３傾斜部材７Ｃおよび第４傾斜部材７Ｄとの隙間を埋めることができる。
このようにして、下レール２２Ａが床Ｆに設置される。
【００５３】
次に、上述した自動ドア１Ａの作用・効果について図面を用いて説明する。
上述した第１実施形態による自動ドア１Ａでは、床上Ｆに設置されたガイドレール６の側方に、ガイドレール６側の高さがガイドレール６の高さと略等しく、ガイドレール６と離間する側の高さが床Ｆの高さと略等しい傾斜部材７が設置されることにより、ガイドレール６と床Ｆとの段差をスロープとすることができ、下レール２２Ａの上を通行する通行人がガイドレール６と床Ｆとの段差につまずいたり、荷物が引っかかったりすることを防止できる。
そして、従来では、ガイドレールと床Ｆとの段差が生じないようにガイドレールを床Ｆに埋め込んでいるため、床Ｆを斫る床斫り工事、この斫った部分にガイドレールを設置して溶接固定する溶接工事、溶接固定されたガイドレールの周囲にモルタルを充填する左官工事等が行われているが、本発明では、下レール２２Ａを床Ｆに設置すればよく、このような工事を行う必要がないため、従来よりも容易にかつ短時間で下レール２２Ａを設置することができる。
【００５４】
また、傾斜部材７の下地材７１と床Ｆとの間に、パッキン１０１が配置されていることにより、傾斜部材７と床Ｆとの隙間から室内１３に水が浸入すること防止できる。
また、ガイドレール６は、底板部６１と一対の第２鉛直板部６５，６５の下端部６５ａ，６５ａが床Ｆと当接するため、ガイドレール６をぐらついたりせずに安定した状態で床Ｆの上部に設置することができる。
また、従来の床Ｆに埋め込むガイドレールの中には、本実施形態によるガイドレール６の底板部６１と、一対の側板部６２，６２と、一対の水平板部６３，６３と、一対の第１鉛直板部６４，６４とを有する構成のものがあるため、このような従来のガイドレールに一対の第２鉛直板部６５，６５に相当する部品を溶接すれば、既設のガイドレールを利用して下レール２２Ａを構成することができる。
【００５５】
また、カバー材９１には、上面に見付け方向に延在し、上方に突出する第２リブ９８，９８…が複数形成されていることにより、第２リブ９８，９８…がカバー材９１の上面の滑り止めとなり、下レール２２Ａの安全性を高めることができる。
【００５６】
また、カバー材９１の第２リブ９８，９８…は、下地材７１の第１支持材の直上近傍または他の部分よりも板厚に形成された第２支持材の上方に形成されていることにより、通行人が傾斜部材７を踏んだ際にカバー材９１作用する上側からの荷重を、第１支持材および第２支持材を介して床Ｆに伝達させることができるとともに、傾斜部材７が上からの力によって変形することを防止できる。
また、本実施形態では、下地材の鉛直板部は、上方からの荷重を床Ｆに伝達可能に構成されているが、第２水平板部９５の直下には、下地材７１の鉛直板部が設けられていない構成である。しかし、第３水平板部７７が他の部分よりも厚く形成されていることにより、直下に鉛直部材が設けられていなくても、水平板部７７が上方からの荷重（第２傾斜部材７Ｂの場合は、ガードスクリーン４の荷重）を負担し、近接する鉛直部材を介して床Ｆに荷重を伝達させることができる。
【００５７】
（第２実施形態）
次に、第２実施形態について、添付図面に基づいて説明するが、上述の第１実施形態と同一又は同様な部材、部分には同一の符号を用いて説明を省略し、第１実施形態と異なる構成について説明する。
図８および図９に示すように、第２実施形態では、自動ドア１Ｂ（出入口用建具）の室内１３側の床Ｆの上部に新設の床Ｆ１を増し貼りする工事が行われている。これにより、第２実施形態による下レール２２Ｂは、第１実施形態による下レール２２Ａのガイドレール６および第１傾斜部材７Ａのみを備え、第２傾斜部材７Ｂ、第３傾斜部材７Ｃおよび第４傾斜部材７Ｄを備えていない構成である。
そして、第２実施形態では、下レール２２Ｂのガイドレール６の室内１３側に新設の床Ｆ１が隣接して設けられていて、新設の床Ｆ１の上面と、ガイドレール６の水平板部６３の上面６３ａの高さが略同じ高さとなるように構成されている。
また、第２実施形態では、新設の床Ｆ１の上部にガードスクリーン４が設けられていて、ガードスクリーン４の車輪４３は、新設の床Ｆの上面を走行可能に構成されている。
【００５８】
第２実施形態による自動ドア１Ｂは、改修工事によって室内１３側の床Ｆを増し貼りした場合でも、床Ｆの増し貼りに合せてガイドレール６および傾斜部材７Ａを設置することができるため、第１実施形態と同様の作用効果を奏する。
【００５９】
以上、本発明による出入口用建具の実施形態について説明したが、本発明は上記の実施形態に限定されるものではなく、その趣旨を逸脱しない範囲で適宜変更可能である。
例えば、上記の実施形態では、自動ドア１Ａ，１Ｂは、スイング式の既存ドア本体５２を、新設の自動ドアとする改修工事の際に用いられているが、改修工事ではなく、新築工事の際に用いられてもよい。また、手動式のドアや開放のみまたは閉鎖のみドア本体３が自動に移動する半自動式のドアに本実施形態による下レール２２Ａ，２２Ｂが設けられていてもよい。
また、上記の実施形態では、自動ドア１Ａは、片引き（１枚引き）のドアであるが両引き（２枚引き）のドアや、３枚以上のドア本体が見付け方向にスライドするドアとしてもよい。また、上記の実施形態では、ドア本体３は、矩形状に枠組みされた框３１の内側にガラス３２が嵌めこまれているが、このようなドア本体３に代わってガラスのないパネル式の戸体としてもよい。
また、上記の実施形態では、ドア本体３の振れ止め材３３が下レール２２Ａのガイド溝６ａに挿入される構成であるが、振れ止め材３３に代わって、ドア本体３の下端部に車輪が設けられていて、この車輪がガイド溝６ａの底面（底板部６１）を走行する構成としてもよい。
【００６０】
また、上記の実施形態では、傾斜部材７の下地材７１およびカバー材９１は、水平板部、鉛直板部、傾斜板部がそれぞれ配列されているが、傾斜部材７の上面に傾斜面が設置されていて、傾斜部材７のガイドレール６側がガイドレール６と略等しい高さで、傾斜部材７のガイドレール６と離間する側の端部が床Ｆと略等しい高さであれば、水平板部、鉛直板部、傾斜板部の配列の順番や数、水平板部および鉛直板部の有無は適宜設定されてよい。また、下地材７１が床Ｆと固定される部分や、下地材７１とカバー材９１とが固定される部分は適宜設定されてもよい。
また、本実施形態では、傾斜部材７は、下地材７１とカバー材９１とを有する構成であるが、下地材７１とカバー材９１とが一体に形成されている構成としたり、下地材７１とカバー材９１のような２つの部材でなく３つ以上の部材を有する構成としたりしてもよい。
【００６１】
また、上記の実施形態では、ガイドレール６は、底板部６１、側板部６２，６２水平板部６３．６３、第１鉛直板部６４および第２鉛直板部６５を有しているが、ガイドレール６にガイド溝６ａが形成されていれば、上記以外の形態としてもよい。
また、上記の実施形態では、自動ドア１Ａ，１Ｂにガードスクリーン４が設けられているが、設けられていなくてもよい。この場合、ガードスクリーン４の車輪４３が走行するためのカバー材９１の第２水平板部９５や、この第２水平板部９５を支持する下地材７１の第３水平板部７７が設けられていなくてもよく、これらの水平板部９５，７７に代わって傾斜板部等が適宜設けられていてもよい。また、ガードスクリーン４が設けられる場合も、上面をガードスクリーン４の車輪４３が走行しない傾斜部材７（本実施形態では、第１傾斜部材７Ａ、第３傾斜部材７Ｃ、第４傾斜部材７Ｄ）には、水平板部９５，７７が設けられていなくてもよい。
【００６２】
また、上記の実施形態では、傾斜部材７の下地材７１と床Ｆとの間には、パッキン１０１が配置されているが、設けられていなくてもよい。また、本実施形態では、すべての傾斜部材７の下地材７１の水平板部７５，８２と床Ｆとの間にパッキン１０１が配置されているが、これらのすべてではなく選択された任意の下地材７１の水平板部との間にパッキン１０１が配置されていてもよい。
【００６３】
また、上記の実施形態では、傾斜部材７の下地材７１の第２水平板部７５および第４水平板部８２には第１リブ７５ａ，７５ａ，８２ａ，８２ａが形成されているが、第１リブ７５ａ，７５ａ，８２ａ，８２ａが形成されていなくてもよい。
また、上記の実施形態では、傾斜部材７の下地材７１と床Ｆとの間には、パッキン１０１が配置され、ガイドレール６と傾斜部材７との境界部分の凹部２２ａにシーリング材１０３が配置され、第４傾斜板部８８の室外１４側の端部８８ｂには、シーリング材１０４が配置され、第２傾斜部材７Ｂと第３傾斜部材７Ｃおよび第４傾斜部材７Ｄとの接続部にシーリング材１０６が配置されているが、これらのパッキン１０１やシーリング材１０３，１０４，１０６は、必要に応じて適宜配置されればよく、配置される箇所も適宜設定されてよい。
また、上記の実施形態では、傾斜部材７のカバー材９１には第２リブ９８，９８…が形成されているが、設けられていなくてもよい。また、第２リブ９８，９８…が配置される位置は、適宜設定されてよい。また、カバー材９１に第２リブ９８，９８…が形成されている場合に、リブ９８，９８…の下方に下地材７１の第１支持材や第２支持材が設けられていなくてもよい。
また、上記の第１実施形態では、第３傾斜部材７Ｃ、第４傾斜部材７Ｄが設けられているが、これらが設けられていなくてもよい。
【符号の説明】
【００６４】
１Ａ，１Ｂ  自動ドア（出入口用建具）
２  枠体
３  ドア本体（戸体）
４  ガードスクリーン
６  ガイドレール
７  傾斜部材
７Ａ  第１傾斜部材
７Ｂ  第２傾斜部材
７Ｃ  第３傾斜部材
７Ｄ  第４傾斜部材
１１  建物
１２  開口部
１３  室内
１４  室外
２２Ａ，２２Ｂ  下レール
６１  底板部
６２  側板部
６３  水平板部
６４  第１鉛直板部
６５  第２鉛直板部
７１  下地材
７３  第１水平板部（下地水平部）
７４  第２鉛直板部（第１支持材）
７５  第２水平板部（凹部の底部）
７５ａ  第１リブ
７６  第３鉛直板部（第１支持材）
７７  第３水平板部（第２支持材、下地水平部）
７８  第１傾斜板部（第２支持材）
７９  第４鉛直板部（床当接部）
８０  第２傾斜板部（下地傾斜部）
８２  第４水平板部（凹部の底部）
８２ａ  第１リブ
８４  第３傾斜板部（下地傾斜部）
８９  係合凹部（係合部）
９１  カバー材
９４  第１傾斜板部（板部）
９５  第２水平板部（板部、カバー水平部）
９６  第２傾斜板部（板部、カバー傾斜部）
９８  第２リブ
１０１  パッキン（止水材）
１０２  固定具
Ｆ  床
【図１】
2018141358.tif 000003
【図２】
2018141358.tif 000004
【図３】
2018141358.tif 000005
【図４】
2018141358.tif 000006
【図５】
2018141358.tif 000007
【図６】
2018141358.tif 000008
【図７】
2018141358.tif 000009
【図８】
2018141358.tif 000010
【図９】
2018141358.tif 000011